(57)【要約】  エレベータの操作パネル装置においては、スイッチ本体と操作部とを有するスイッチがフェースプレートの裏面に取り付けられている。スイッチ本体の側面とフェースプレートの裏面との間には、スイッチ本体を所定の取付位置に保持する保持機構が設けられている。保持機構は、弾性部材を有している。弾性部材は、弾性変形により取付位置へのスイッチ本体の移動を許容する。また、弾性部材は、スイッチ本体が取付位置に移動されると復元して取付位置からのスイッチ本体の移動を阻止する。
2010004631.tif 000002
【特許請求の範囲】
【請求項１】
開口部を有するフェースプレート、及び
上記フェースプレートに取り付けられたスイッチ本体と、上記スイッチ本体に設けられ上記開口部を通して上記フェースプレートの表面側に露出された操作部とを有するスイッチ
を備え、
上記スイッチ本体の側面と上記フェースプレートの裏面との間には、上記スイッチ本体を所定の取付位置に保持する保持機構が設けられており、
上記保持機構は、弾性変形により上記取付位置への上記スイッチ本体の移動を許容するとともに、上記スイッチ本体が上記取付位置に移動されると復元して上記取付位置からの上記スイッチ本体の移動を阻止する弾性部材を有しているエレベータの操作パネル装置。
【請求項２】
上記弾性部材は、上記スイッチ本体の側面に設けられており、
上記フェースプレートの裏面には、上記弾性部材が係合する保持部材が設けられている請求項１記載のエレベータの操作パネル装置。
【請求項３】
上記弾性部材及び上記保持部材のいずれか一方には、抜け止め突起が設けられており、
上記弾性部材及び上記保持部材の他方には、上記抜け止め突起が係止される係止部が設けられている請求項２記載のエレベータの操作パネル装置。
【請求項４】
上記スイッチ本体の側面と上記フェースプレートの裏面との間には、上記スイッチ本体の上記フェースプレートへの取付時に上記スイッチ本体を上記フェースプレートの裏面に直角の方向に案内するとともに上記スイッチ本体の位置決めを行う位置決め機構が設けられている請求項１記載のエレベータの操作パネル装置。
【請求項５】
上記位置決め機構は、上記スイッチ本体の側面と上記フェースプレートの裏面とのいずれか一方に設けられた複数の挿入部材と、上記スイッチ本体の側面と上記フェースプレートの裏面との他方に設けられ、対応する上記挿入部材が挿入されるスリットを形成する複数のスリット形成部材とを有している請求項４記載のエレベータの操作パネル装置。
【請求項６】
上記弾性部材は、上記挿入部材を兼ねている請求項５記載のエレベータの操作パネル装置。
【請求項７】
上記位置決め機構は、上記フェースプレートの裏面に設けられ上記スイッチ本体の側面に当接する複数の位置決め突起を有している請求項４記載のエレベータの操作パネル装置。
【発明の詳細な説明】
【技術分野】
【０００１】
この発明は、例えばかご操作盤や乗場ボタン装置に用いられるエレベータの操作パネル装置に関するものである。
【背景技術】
【０００２】
従来のエレベータの操作パネルでは、操作ボタンスイッチの外枠部材に、つば部と弾性爪とが設けられている。つば部は、フェースプレートの開口縁に表面側から係合する。また、弾性爪は、フェースプレートの開口縁に背面側から係合する。この構成により、操作ボタンスイッチは、フェースプレートの表面側からワンタッチでフェースプレートに取り付けられる（例えば、特許文献１参照）。【０００３】
【特許文献１】特開２０００−３０２３４５号公報
【発明の開示】
【発明が解決しようとする課題】
【０００４】
上記のような従来のエレベータの操作ボタンスイッチでは、ワンタッチ取付を可能とするために外枠部材につば部を設けているため、フェースプレートの表面側からも見える外枠部材を押圧部の周囲に設ける必要があり、意匠上の制約を受けてしまう。また、外枠部材を用いずにフェースプレートの背面側に取り付けられる従来の操作ボタンスイッチでは、フェースプレートの背面に固定されたスタットボルトにスイッチを挿通させてナットで締め付けるため、フェースプレートへの取付に手間がかかる。【０００５】
この発明は、上記のような課題を解決するためになされたものであり、フェースプレートの表面側から見える外枠を操作部の周囲に設ける必要がなく、かつフェースプレートへのスイッチの取付が容易なエレベータの操作パネル装置を得ることを目的とする。
【課題を解決するための手段】
【０００６】
この発明によるエレベータの操作パネル装置は、開口部を有するフェースプレート、及びフェースプレートに取り付けられたスイッチ本体と、スイッチ本体に設けられ開口部を通してフェースプレートの表面側に露出された操作部とを有するスイッチを備え、スイッチ本体の側面とフェースプレートの裏面との間には、スイッチ本体を所定の取付位置に保持する保持機構が設けられており、保持機構は、弾性変形により取付位置へのスイッチ本体の移動を許容するとともに、スイッチ本体が取付位置に移動されると復元して取付位置からのスイッチ本体の移動を阻止する弾性部材を有している。
【図面の簡単な説明】
【０００７】
【図１】この発明の実施の形態１によるエレベータの操作パネル装置の要部断面図である。
【図２】図１の押しボタンスイッチを示す側面図である。
【図３】図１のフェースプレートを示す側面図である。
【図４】図１の押しボタンスイッチの取付構造を示す背面図である。
【図５】この発明の実施の形態２によるエレベータの操作パネル装置の要部を示す側面図である。
【図６】図５の押しボタンスイッチの取付構造を示す背面図である。
【図７】この発明の実施の形態３によるエレベータの操作パネル装置の要部を示す正面図である。
【図８】この発明の実施の形態４によるエレベータの操作パネル装置の要部を示す正面図である。
【発明を実施するための最良の形態】
【０００８】
以下、この発明の好適な実施の形態について図面を参照して説明する。
実施の形態１．
図１はこの発明の実施の形態１によるエレベータの操作パネル装置の要部断面図、図２は図１の押しボタンスイッチを示す側面図、図３は図１のフェースプレートを示す側面図、図４は図１の押しボタンスイッチの取付構造を示す背面図である。なお、図１ではフェースプレート側の部品のみを断面で示し、押しボタンスイッチは側面を示している。【０００９】
図において、フェースプレート１には、開口部１ａが設けられている。フェースプレート１の裏面には、断面Ｌ字形の一対の保持部材２が固定されている。保持部材２は、開口部１ａを挟んで互いに対向している。保持部材２の互いに対向する面には、保持部材２との間にスリット３ａを形成するスリット形成部材３がそれぞれ固定されている。【００１０】
各保持部材２には、係止部としての嵌合孔２ａが設けられている。嵌合孔２ａは、スリット３ａのフェースプレート１側に隣接して設けられている。【００１１】
フェースプレート１の裏面上の保持部材２間には、押しボタンスイッチ４が取り付けられている。押しボタンスイッチ４は、フェースプレート１に取り付けられたスイッチ本体（ボタンベース）５と、スイッチ本体５に設けられた操作部としての押圧部６とを有している。押圧部６は、開口部１ａを通してフェースプレート１の表面側に露出（突出）されている。【００１２】
スイッチ本体５の側面には、スリット３ａに挿入された挿入部材としての一対の弾性部材（レバー）７が固定されている。弾性部材７は、板ばねのように弾性変形可能になっている。各弾性部材７の先端部には、嵌合孔２ａに嵌合する抜け止め突起７ａが設けられている。【００１３】
弾性部材７は、弾性変形により取付位置へのスイッチ本体５の移動を許容する。また、取付位置にスイッチ本体５が移動されると、弾性部材７が復元して嵌合孔２ａに抜け止め突起７ａが嵌合し、取付位置からのスイッチ本体５の移動（抜け）が阻止される。【００１４】
スイッチ本体５の両側のスリット形成部材３間の寸法と、スイッチ本体５の幅寸法（図１の左右方向寸法）とは、ほぼ同一になっており、スイッチ本体５の側面はスリット形成部材３に当接している。これにより、スイッチ本体５がその幅方向に位置決めされ、スイッチ本体５の幅方向へのガタの発生が防止されている。【００１５】
また、弾性部材７の幅寸法とスリット３ａの幅寸法とはほぼ同一になっており、弾性部材７の幅方向両端部はスリット形成部材３の内面に当接している。これにより、スイッチ本体５がその上下方向（図４の上下方向）に位置決めされ、スイッチ本体５の上下方向へのガタの発生が防止されている。【００１６】
スイッチ本体５を取付位置に保持する保持機構は、嵌合孔２ａが設けられた保持部材２と、抜け止め突起７ａが設けられた弾性部材７とを有している。また、位置決め機構は、保持部材２と、スリット形成部材３と、弾性部材７とを有している。この位置決め機構は、スイッチ本体５のフェースプレート１への取付時に、スイッチ本体５をフェースプレート１の裏面に直角の方向に案内するとともに、フェースプレート１の裏面に平行な方向に対してスイッチ本体５の位置決めを行う。【００１７】
このような操作パネル装置では、スイッチ本体５の側面とフェースプレート１の裏面との間に保持機構を設けたので、フェースプレート１の表面（意匠面）側から見える外枠を押圧部６の周囲に設ける必要がなく、デザインの自由度を向上させることができる。また、弾性部材７を有する保持機構を用いたので、押しボタンスイッチ４をフェースプレート１の裏側にワンタッチで容易に取り付けることができる。【００１８】
さらに、保持機構がスイッチ本体５の側面とフェースプレート１との間に設けられているので、フェースプレート１とは別のスイッチ支持板にスイッチの後端部をワンタッチ構造で取り付けた後にスイッチ支持板をフェースプレート１に取り付ける構造に比べて、操作パネル装置を薄型化することができる。従って、例えばかご室壁に設置されるかご操作盤では、設置スペースの厚さ寸法を小さくすることができ、かご室のスペースを広くすることができる。【００１９】
さらにまた、嵌合孔２ａが設けられた保持部材２と、抜け止め突起７ａが設けられた弾性部材７とを有する保持機構を用いたので、簡単な構成によりスイッチ本体５を取付位置に保持することができるとともに、フェースプレート１の裏面に直角な方向へのスイッチ本体５の位置決めも行うことができる。【００２０】
また、スイッチ本体５の側面とフェースプレート１の裏面との間に位置決め機構を設けたので、操作パネル装置を薄型化しつつ、押しボタンスイッチ４を精度良くフェースプレート１に取り付けることができる。【００２１】
さらに、保持部材２と、スリット形成部材３と、弾性部材７とを有する位置決め機構を用いたので、簡単な構成でスイッチ本体５を案内できるとともに、スイッチ本体５にガタが発生するのを防止することができる。また、スイッチ本体５が円筒状であった場合に、スイッチ本体５の円周方向への位置決めも行うことができる。【００２２】
さらにまた、保持機構の一部である弾性部材７が、位置決め機構の一部である挿入部材を兼ねているので、構成を簡単にすることができる。【００２３】
実施の形態２．
次に、図５はこの発明の実施の形態２によるエレベータの操作パネル装置の要部を示す側面図、図６は図５の押しボタンスイッチの取付構造を示す背面図である。この例では、断面Ｌ字形のスリット形成部材８が各保持部材２に固定されている。スリット形成部材８は、幅方向の一端が開放されたスリット８ａを保持部材２との間に形成する。また、スリット形成部材８は、スリット８ａの開放端がスイッチ本体５の左右で上下逆となるように、スイッチ本体５の左右で逆向きに配置されている。他の構成は、実施の形態１と同様である。【００２４】
このように、形状を簡略化したスリット形成部材８を用いても、フェースプレート１の表面側から見える外枠を押圧部６の周囲に設ける必要がなく、またフェースプレート１への押しボタンスイッチ４の取付を容易にすることができる。
また、スリット形成部材８をスイッチ本体５の左右で逆向きに配置したので、簡単な形状のスリット形成部材８によりスイッチ本体５の上下方向のガタの発生を防止することができる。【００２５】
実施の形態３．
次に、図７はこの発明の実施の形態３によるエレベータの操作パネル装置の要部を示す正面図である。実施の形態１、２では、保持機構と位置決め機構とで部品を共有したが、実施の形態３では、位置決め機構と保持機構とが別々に設けられている。即ち、位置決め機構は、フェースプレート１の裏面に設けられスイッチ本体５の上下左右の側面に当接する第１ないし第４の位置決め突起１０ａ〜１０ｄを有している。【００２６】
また、保持機構は、フェースプレート１の裏面に固定され係止部としての嵌合孔９ａが設けられた一対の保持部材９と、抜け止め突起７ａが設けられた弾性部材７とを有している。他の構成は、実施の形態１と同様である。【００２７】
このように、位置決め機構と保持機構とを別々に設けても、フェースプレート１の表面側から見える外枠を押圧部６の周囲に設ける必要がなく、またフェースプレート１への押しボタンスイッチ４の取付を容易にすることができる。さらに、操作パネル装置を薄型化することができる。【００２８】
実施の形態４．
次に、図８はこの発明の実施の形態４によるエレベータの操作パネル装置の要部を示す正面図である。図において、位置決め機構は、フェースプレート１の裏面に設けられスイッチ本体５の対角に位置する一対の角部で隣接する２つの側面に当接するＬ字形の一対の位置決め突起１１ａ，１１ｂを有している。他の構成は、実施の形態３と同様である。【００２９】
このような構成によれば、実施の形態３よりも位置決め突起１１ａ，１１ｂの数を減らし構造を簡単にすることができる。【００３０】
なお、弾性部材７は、スイッチ本体５の側面に一体に形成してもよい。同様に、スリット形成部材３，８は、保持部材２に一体に形成してもよい。例えば、スイッチ本体５の側面及び保持部材２が板金部材により構成されている場合、弾性部材７及びスリット形成部材３，８を板金プレス加工で形成することができる。これにより、部品点数を削減してコストを低減することができる。【００３１】
また、上記の例では、保持部材２を開口部１ａの左右両側に設けたが、上下に設けてもよい。この場合、弾性部材７は、スイッチ本体５の上面及び下面に設ければよい。
さらに、上記の例では、フェースプレート１に保持部材２を設け、スイッチ本体５に弾性部材７を設けたが、逆であってもよい。【００３２】
さらにまた、上記の例では、嵌合孔２ａ，９ａに抜け止め突起７ａを嵌合させる保持機構を用いたが、これに限定されるものではなく、例えばフックを係止部に係止させる構造でもよい。
また、上記の例では、板ばね状の弾性部材７を示したが、係止部に係止される係止部材を係止部側へ付勢するコイルばね等であってもよい。
さらに、スイッチは、押しボタンスイッチ４に限定されるものではなく、例えば利用者が接触することにより操作されるタッチスイッチ等であってもよい。
【図１】
2010004631.tif 000003
【図２】
2010004631.tif 000004
【図３】
2010004631.tif 000005
【図４】
2010004631.tif 000006
【図５】
2010004631.tif 000007
【図６】
2010004631.tif 000008
【図７】
2010004631.tif 000009
【図８】
2010004631.tif 000010
【国際調査報告】
2010004631.tif 000011
2010004631.tif 000012
2010004631.tif 000013
2010004631.tif 000014